(57)【要約】【課題】設置作業が簡単容易で安価な箱型構造体の提供を目的とするものである。【解決手段】本発明の箱型構造体は、金属性の波板１で構成した基本パネル５で壁体１８を構成し、基本パネル５より構成される床パネル７を新基礎１１に固定し、該床パネル７上に該壁体１８を立設固定し、該壁体１８の頂部に基本パネル５より構成される屋根パネル６を張設することを特徴とするものである。尚、組立上、家屋の既存の床の上に床ボード１０を載せ、その上に上記壁体１８を立設固定し、屋根パネル６を張設することもできる。壁体１８を形成する基本パネル５は、別部材のジョイント用のフレームを必要とせず、コーナー接続部や該壁体１８の直線接続部においても共通の基本パネル５で該壁体１８を構成できるため、安価で作業性に優れるということを特徴とするものである。【選択図】図１
2010150900.tif 000002
【特許請求の範囲】
【請求項１】
金属製の少なくとも一部分に平面部を持つ波板の両側の谷部をその全長に亘って物品収納空間側に垂直に立ち上げて立上げ部を形成し、且つ、立上げ部を金属製の該波板の中心方向へ、該波板と平行になるように該波板の両端部を折り曲げて折返し部を形成し、該波板の両端部の波形端面部にその全長に亘って金属製の端面枠を固着してなる基本パネルを構成し、
支持構造体の上に、複数枚の基本パネルより構成される壁体を立設固定するとともに、
該壁体が、２枚の基本パネルよりなる該壁体のコーナー接続部においては、一の基本パネルの折返し部と他の基本パネルの立上げ部を緊結具で接合固定し、且つ、該壁体の直線接続部においては、互いに接合する基本パネルの立上げ部同士を緊結具で接合固定し、更に、該壁体の頂部に基本パネルより構成される屋根パネルを張設することを特徴とする箱型構造体。
【請求項２】
基本パネルの端面枠に穿孔した接合孔と、既存床に穿孔した接合孔とを、穿孔した床ボードを中間層として介して緊結具で立設固定した請求項１記載の箱型構造体。
【請求項３】
上記基本パネルを形成する波板の収納空間側の谷部に開口するよう上記端面枠に穿孔した接合孔及び新基礎に穿孔した接合孔を緊結具で固定し、基本パネルで構成される該壁体を新基礎に立設固定してなる請求項１記載の箱型構造体。
【請求項４】
上記基本パネルを形成する波板の収納空間側の谷部に開口するよう上記端面枠に穿孔した接合孔及び床として機能する床パネルを構成する基本パネルの折返し部に穿孔した接合孔を緊結具で固定し、更に、床パネルを構成する基本パネルの平面部に穿孔した接合孔と新基礎に穿孔した接合孔を緊結具で固定し、基本パネルで構成される該壁体を、床パネル及び新基礎からなる支持構造体に立設固定してなる請求項１記載の箱型構造体。
【請求項５】
該壁体の一部であるコーナー接続部を構成する桁側の基本パネルを開口部とする請求項１ないし請求項４のいずれかに記載された箱型構造体。
【発明の詳細な説明】
【技術分野】
【０００１】  本発明は、地上家屋の床上或いは支持構造体に立設固定した箱型構造体に関する。さらに詳しくは、設置作業が簡単容易で、安価に設置でき、且つ、強固な箱型構造体に関する。
【背景技術】
【０００２】  従来、複数枚のパネルをジョイントやフレームを使用して組み立てた箱型構造体があった。（例えば、特許文献１、特許文献２参照。）。【０００３】
【特許文献１】特開２０００−１８６４２０号
【特許文献２】特開２００６−２９０３６号
【発明の開示】
【発明が解決しようとする課題】
【０００４】  しかしながら、上記特許文献１に示された箱型構造体におけるパネルは、パネル同士を直接接合するものではなく、パネル同士は別部材のジョイントやフレームで接合されるものであったから、部品点数が多くその組立作業が面倒であった。更に、出入口の開口部は別途新たな種類のパネルを必要とし、部材数が増加して全体の重量が増大し、設置作業にも時間がかかり、コスト高になるという問題があった。【０００５】  また、上記特許文献２に示された箱型構造体は、接合のための隅枠を金属製の基本パネルに溶接等の手段により固着する必要があり、パネル同士の同一方向での接合には別部材のジョイントやフレームが必要ではないものの、コーナー接続部における直角方向でのパネル同士の接合には隅枠が必要であり、結果として設置作業に時間がかかり、且つ、部品数の増加によりコスト高になるという問題があった。【０００６】  本発明は、このような従来の構成が有していた問題を解決しようとするものであり、組立容易で、安価で強度の安定した箱型構造体を提供することを目的とするものである。
【課題を解決するための手段】
【０００７】  本発明は上記目的を達成するために、箱型構造体を次のように構成したものである。即ち、請求項１に記載の箱型構造体は、金属製の少なくとも一部分に平面部をもつ波板の両側の谷部をその全長に亘って物品収納空間側に垂直に立ち上げて立上げ部を形成し、且つ立上げ部を金属製の該波板の中心方向へ該波板と平行になるように該波板の両端部を更に折り曲げて折返し部を形成し、該波板の両端部の波形端面部にその全長に亘って金属性の端面枠を固着してなる基本パネルより構成され、
家屋の支持構造体の上に、複数枚の基本パネルで構成された該壁体を立設固定するとともに、該壁体は、２枚の基本パネルで構成される該壁体のコーナー接続部では、一の基本パネルの折返し部と他の基本パネルの立上げ部に穿孔した接合孔を利用して緊結具により接合固定し、且つ、該壁体の直線接続部で互いに接合する基本パネルの立上げ部は、両立上げ部に穿孔した接合孔を利用して緊結具により接合固定し、更に、該壁体の頂部に基本パネルよりなる屋根パネルを、該壁体を構成する基本パネルの頂部の端面枠に穿孔した接合孔と、該屋根パネルを構成する基本パネルの折り返し部に穿孔した接合孔及び補強部材の接合孔を緊結具で固定して張設することを特徴とするものである。【０００８】  また、請求項２記載の箱型構造体は、基本パネルの端面枠に穿孔した接合孔と既存床に穿孔した接合孔とを、穿孔した床ボードを中間層として介して、緊結具で固定したことを特徴とするものである。【０００９】  また、請求項３記載の箱型構造体は、上記波板の物品収納空間側の谷部に開口するよう上記端面枠に穿孔した接合孔及び基礎に穿孔した接合孔を通して緊結具で固定し、基本パネルで構成される該壁体を新基礎に固定することを特徴とするものである。【００１０】  更に、請求項４に記載の箱型構造体は、上記基本パネルを構成する波板の収納空間側の谷部に開口するよう上記端面枠に穿孔した接合孔及び床として機能する床パネルを構成する基本パネルの折返し部に穿孔した接合孔を通して緊結具で固定し、更に、床パネルを構成する基本パネルの平面部に穿孔した接合孔と新基礎に穿孔した接合孔を通して緊結具で固定し、基本パネルで構成される該壁体を、床パネル及び新基礎からなる支持構造体に固定することを特徴とするものである。
【発明の効果】
【００１１】  請求項１に記載した本発明の箱型構造体は、上記の如く、別部材のジョイントやフレームを利用せず、あるいは隅枠を必要としないから、従来の箱型構造体に比較して、全体の重量が軽くなり、組立設置作業が簡単で、その組立工数も少なくなる。また、本発明においては、屋根や床を同一の規格である基本パネルで構成できることから、安価に箱型構造体を設置できる。【００１２】  更に、複数枚の基本パネルで構成される壁体は、該壁体の２枚の基本パネルで構成されるコーナー接続部において、一の基本パネルの折返し部と、該基本パネルに交差する他の基本パネルの立上げ部とが接合孔を通じ緊結具により接合固定され、且つ、壁体の直線接続部において、基本パネルは互いに結合する立上げ部同士が接合孔を通じ緊結具で接合固定されるので、該立上げ部および該折返し部が壁体の構造上の柱材機能を有することになり、外圧に対し十分に耐え得る強度を有するのである。【００１３】  更に、本発明は、金属製の基本パネルを屋根パネルとして張設することができ、また、１枚の基本パネルを屋根からの出入口の開口部にも利用でき、更に、壁体の一部であるコーナー接続部においては、桁側の基本パネルを出入口の開口部として利用できることにより、扉を有する新たなパネルの設置を不要とし、工程を簡略化可能ならしめるとともに、箱型構造体全体を安価に製造できるのである。【００１４】  また、本発明は、波板の物品収納空間側の谷部に開口するように上記端面枠に穿孔した接合孔を通して該端面枠を、床ボードを介した既存床や、新基礎や、基本パネルより構成される床パネルを介した新基礎に、それぞれ穿孔した接合孔を通じ緊結具で固定するものであるから、接合孔を貫通した緊結具は物品収納空間側内部に位置することになり、該壁体を支持構造体に立設固定する作業が確実容易になり、箱型構造体の外部での緊結作業に要する場所が不要となり、狭小な部屋でも設置可能となる。
【発明を実施するための最良の形態】
【００１５】  以下、本発明の実施の形態を図１〜図１４に基づいて説明する。【００１６】  図１は、本発明の箱型構造体の実施形態に係る基本パネルを示す斜視図、図２は該基本壁パネルの分解斜視図である。図２に示すように、基本パネル５は金属製の波板１と２個の金属製の端面枠３、３とからなり、波板１の両側の谷部を構成する平面部１２０はその全長に亘って物品収納空間側に垂直に立ち上げられて立上げ部２、２が形成されている。該波板１の両端部の波形端面部１１０、１１０には端面枠３、３がその全長に亘って溶接等の手段で固着されている。立上げ部２、２のそれぞれには１個以上の接合孔２１が互いに対向した状態で一定間隔に穿孔されている。また、端面枠３は短冊形状をしておりそれぞれの端面枠３、３には１個以上の接合孔３１が互いに対向した状態で一定間隔に穿孔されている。更に該それぞれの接合孔３１は上記波板１の立上げ部２側の谷部を構成する平面部１２０側に開口するよう、即ち、箱型構造体の物品収納空間側に開口している。端面枠３には少なくとも一個以上の接合孔３１があればよい。更に、立上げ部２，２を金属製の波板の中心方向へ、該波板と平行になるように波板の両端部を折り曲げ折返し部４、４を形成する。折返し部４、４の両方若しくはどちらか一方には、該折返し部に接合する立上げ部２に穿孔された１個以上の接合孔２１に嵌合するように、同一高さ位置に接合孔４１を穿孔する。【００１７】  波板１の波形状は、実施例のような山波形状に限定されるものではなく、図１４のように、三角波形状や四角波形状、台形波形状で形成してもよい。また、金属製の端面枠３は、短冊形状に限定されるものではなく、山形鋼やコ字形鋼で形成してもよい。端面枠３を山形鋼やコ字形鋼で形成する場合は、端面枠３は波板１の波形端面部１１０に固着されている面に接合孔３１が穿孔されることになる。【００１８】  図３は妻側に４枚の基本パネル５１、５１と、桁側に４枚の基本パネル５２、５２が立設され、全体として８枚の基本パネル５が立設固定された壁体１８の状態を示す平面図である。同図において、基本パネルのコーナー接続部１２においては、妻側の基本パネル５１の立上げ部２に穿孔された接合孔２１と、桁側の基本パネル５２の折返し部４に穿孔された接合孔４１を利用して接合固着されている。
同図において、基本パネルの直線接続部２２においては、妻側の基本パネル５１の立上げ部２に穿孔された接合孔２１と、該妻側の基本パネル５１に隣接する妻側の基本パネル５１の立上げ部２に穿孔された接合孔２１を利用して接合固着されている。同様に桁側の基本パネル５２の立上げ部２に穿孔された接合孔２１と、該桁側の基本パネル５２に隣接する立上げ部２に穿孔された接合孔２１も接合固着されている。【００１９】  図４に示した実施例は、本発明の箱型構造体を設置したときの概略を示す縦断面図である。同図は基本パネル５を使用した全パネル組立図で、基本パネル５により構成される屋根パネル６と床パネル７を用いたものであるが、基本パネル５により構成される床パネル７を新基礎１１の上に立設したものである。
本発明においては、採用する基本パネルの枚数は顧客の要求に従って妻側の壁体および桁側の壁体の採用枚数が選択決定される。基本パネル５の外形寸法は壁、屋根、床、の各面が基本パネル５で構成できるように寸法を定めている。【００２０】  図５は図３における１２部の部分平断面図であり、妻側の基本パネル５１と桁側の基本パネル５２のコーナー接続部１２の接合固定状態を示すものである。同図に示すように、妻側の基本パネル５１の立上げ部２と、桁側の基本パネル５２の折返し部４とを水密的に結合している。即ち、妻側の基本パネル５１の立上げ部２に穿孔された接合孔２１と、桁側の基本パネル５２の折返し部４に穿孔された接合孔４１を、緊結具１７で接合している。【００２１】  図６は図３における２２部の部分平断面図であり、基本パネル５の直線接続部の接合固定状態を示すものである。同図に示すように、基本パネル５、５の直線接続部で互いに接合する立上げ部２のそれぞれの接合孔２１、２１を緊結具１７で水密的に接合固定している。同図において端面枠３の新基礎１１への立設用の接合孔３１が見えている。【００２２】  上記の如く、本発明の箱型構造体は、金属製の筒状壁体１８と屋根パネル６と床パネル７とからなり、組立施工容易で、構造的に安定しており、且つ、安価な箱型構造体となる。【００２３】  図７は図４に示した屋根パネル６を張設したときの接合部分の縦断面図である。屋根パネル６と妻側の基本パネル５１とは、屋根パネル６を構成する基本パネル５の折り返し部４に穿孔した接合孔４１と妻側の基本パネル５１の頂部の端面枠３に穿孔した接合孔３１１を緊結具１７で固定する。屋根パネル６と桁側の基本パネル５２とは、桁側の基本パネル５２の頂部の端面枠３に穿孔した接合孔３１２と、屋根パネル６を構成する基本パネル５の波板の平面部１２０に設置した補強部品８の接合孔を緊結具２３で通して固定する。【００２４】  図８は壁内装材１９を有する壁体１８が、箱型構造体を設置する家屋の既存床９に固定されたときの状態を示す部分断面図である。同図に示すように、基本パネル５の端面枠３に穿孔した接合孔３１と、該接合孔３１に対応する位置に床ボード１０に穿孔した接合孔１０１と、既存床９に該接合孔３１及び接合孔１０１に対応する位置に穿孔した接合孔９１を緊結具２０で接合固定することにより、壁体１８と既存床９が床ボード１０を介し、立設固定される。
既存床９の強度が不足する場合には補強材１３を既存床９の下部に設置して、壁体１８、床ボード１０、既存床９を緊結固定する。【００２５】  図９は壁内装材１９を有する壁体１８が、新基礎１１に固定されたときの状態を示す部分断面図である。同図に示すように、基本パネル５の端面枠３に穿孔した接合孔３１と、新基礎１１に該接合孔３１に対応する位置に穿孔した接合孔１１１を緊結具で接合固定することで壁体１８が新基礎上に１１の上に立設固定される。【００２６】  図１０は壁内装材１９を有する壁体１８が、基本パネル５により構成される床パネル７に固定され、更に該床パネル７を新基礎１１に固定されたときの状態を示す部分断面図である。上記壁体１８を構成する基本パネル５の波板の収納空間側の谷部１２０に開口するよう該基本パネル５の底面の端面枠３に穿孔した接合孔３１と、該接合孔３１に対応する位置に穿孔した床パネル７を構成する基本パネル５の折り返し部４の接合孔４１を緊結具１７で接合固定し、更に、床パネル７を構成する基本パネル５の平面部１２０に穿孔した接合孔１２１と、該接合孔１２１に対応する位置に穿孔した新基礎１１の接合孔１１１を緊結具１７で接合固定することにより、壁体１８が新基礎１１に床パネル７を介して立設固定される。【００２７】  図１１は、箱型構造体の一般住宅における一室内での設置状況図の平面図を示すものである。該一般住宅の一階部分の１室に、該箱型構造体を設置した場合の住宅見取図をしめした。太線部分１４が箱型構造体である。【００２８】  図１２は、箱型構造体の立体図を示すものである。該箱型構造体の頂部は屋根パネル６を張設してなり、側面は壁体１８よりなり、底部は床ボード１０よりなる。
手前の扉部分１５は１枚の基本パネル５で構成される側面の出入口の開口部を示している。【００２９】  図１３は、壁体１８を構成する複数の基本パネル５の１枚を、壁体１８の出入口の開口部として機能させる場合の実施例を上部より見た平面図を示すものである。
壁体１８の桁側の壁を構成し、かつコーナー接続部を構成する桁側の基本パネル５２の両端部のうち、コーナー接続部１２を構成しない側の端部と、開口部として機能する該桁側の基本パネル５２に隣接する他の桁側の基本パネル５２の端部を、丁番を用いて開閉可能な出入口の開口部１６としたものである。【００３０】  図１４は、基本パネル５を形成する基本材料である波板の形状の種類を示すものである。図１４に示すとおり、波板の基板側には谷部を形成する平面部が存在し、山部を形成する部分は山波形状に限定されるものではなく、三角波形状や四角波形状、台形波形状で形成してもよい。ただし、波板の基板側には窓や把手を設置するために平面部が一箇所以上存在しなければならない。
上記の如く、本発明の箱型構造体は、金属製の筒状の壁体１８と屋根パネル６、床パネル７とからなり、組立施工容易で、構造的に安定しており、安価な床下収納庫にも利用できる。
【図面の簡単な説明】
【００３１】
【図１】本発明の実施形態に係る基本パネルを示す斜視図。
【図２】基本パネルの分解斜視図。
【図３】壁体の平面図。
【図４】本発明の箱型構造体を設置したときの概略を示す縦断面図。
【図５】壁体のコーナー接続部の接合固定状態を示す部分平断面図。
【図６】壁体の直線接続部の接合固定状態を示す部分平断面図。
【図７】屋根パネルと壁体の接合固定状態を示す部分縦断面図。
【図８】床ボードを介した壁体と家屋の既存床パネルの固定状態を示す部分断面図。
【図９】壁体と家屋の新基礎の固定状態を示す部分断面図。
【図１０】壁体、床パネル、及び家屋の新基礎の固定形状を示す部分断面図。
【図１１】箱型構造体の家屋内への設置状況図。
【図１２】出入口の開口部を備えた箱型構造体の斜視図。
【図１３】桁側の基本パネルよりなる出入口の開口部を示す平面図。
【図１４】基本パネルを形成する波板の形状の種類を示す断面図。
【符号の説明】
【００３２】１      波板
１１０  波板の波形端面部
１２０  波板の谷部の平面部
２      基本パネルの立上げ部
２１    立上げ部の接合孔
３      端面枠
３１    端面枠の接合孔
３１１  妻側の基本パネルの端面枠の接合孔
３１２  桁側の基本パネルの端面枠の接合孔
４      基本パネルの折り返し部
４１    折返し部の接合孔
５      基本壁パネル
６      屋根パネル
７      床パネル
８      補強部品
９      既存床
９１    既存床の接合孔
１０    床ボード
１０１  床ボードの接合孔
１１    新基礎
１１１  新基礎の接合孔
１２    コーナー接続部
１３    補強材
１４    箱型構造体
１５    出入口の開口部
１６    出入口の開口部
１７    緊結具
１８    緊結具
１９    壁内装材
２０    緊結具
２２    直線接続部
２３    緊結具
【図１】
2010150900.tif 000003
【図２】
2010150900.tif 000004
【図３】
2010150900.tif 000005
【図４】
2010150900.tif 000006
【図５】
2010150900.tif 000007
【図６】
2010150900.tif 000008
【図７】
2010150900.tif 000009
【図８】
2010150900.tif 000010
【図９】
2010150900.tif 000011
【図１０】
2010150900.tif 000012
【図１１】
2010150900.tif 000013
【図１２】
2010150900.tif 000014
【図１３】
2010150900.tif 000015
【図１４】
2010150900.tif 000016